(57)【要約】  本発明は、移動通信システムで、移動端末と基地局との間のチャンネル状態情報を示すフィードバック情報を前記移動端末から前記基地局に報告する方法であって、前記移動通信システムでパケットデータ伝送率に関連した符号化パケットの増加又は減少するサイズに対応するＴＰＲ値の境界値によって区分されたチャンネル状態情報テーブルに貯蔵された値のうちの一つに前記チャンネル状態情報をマッピングする段階と、前記マッピングされた情報を前記基地局に伝送する段階とを有する。
2007514364.tif 000002
【特許請求の範囲】
【請求項１】
移動通信システムで移動端末と基地局との間の情報を報告する方法であって、
パケットのサイズに対応する境界値を有する情報テーブルで前記情報を境界値にマッピングする段階と、
前記境界値に対応するインデックスを基地局に伝送する段階と、
を有することを特徴とする方法。
【請求項２】
前記情報テーブルは、前記基地局から初期通信の遂行時にシグナリングチャンネルを通じて受信して貯蔵するテーブルであることを特徴とする請求項１記載の方法。
【請求項３】
前記情報はＴＰＲ(Ｔｒａｆｆｉｃ  ｔｏ  Ｐｉｌｏｔ  Ｒａｔｉｏ)であることを特徴とする請求項１記載の方法。
【請求項４】
前記情報テーブルは、下記の表のようであることを特徴とする請求項１記載の方法。
【表１】
2007514364.tif 000010
【請求項５】
移動端末から前記移動端末と基地局との間の情報を受信し、前記情報により逆方向伝送を許容する移動通信システムの前記基地局で情報テーブルを生成して前記移動端末に提供するための方法であって、
情報を移動通信システムで逆方向に伝送される符号化パケットのサイズに対応する所定範囲のＴＰＲに量子化する段階と、
前記量子化された範囲により情報テーブルを構成する段階と、
前記情報テーブルを前記移動端末に伝送する段階と、
を有することを特徴とする方法。
【請求項６】
前記情報テーブルは下記の表のようであることを特徴とする請求項５記載の方法。
【表２】
2007514364.tif 000011
【請求項７】
前記情報テーブルは、シグナリングチャンネルを通じて伝送されることを特徴とする請求項６記載の方法。
【請求項８】
移動端末と基地局との間の情報を前記移動端末から受信して逆方向伝送を許容する移動通信システムで前記情報を生成して伝送するための移動端末装置であって、
前記基地局から伝送された情報テーブルを受信する受信部と、
前記受信された情報テーブルを貯蔵する第１のメモリと、
逆方向に伝送するデータを貯蔵する第２のメモリと、
情報をエンコーダパケットのサイズにより決定されたＴＰＲ値の範囲を有する前記情報テーブルに貯蔵された所定値にマッピングし、その結果の伝送を制御する制御部と、
前記マッピングされた情報及び前記第２のメモリに貯蔵されたデータを前記基地局に伝送する送信部と、
を含むことを特徴とする装置。
【請求項９】
移動通信システムで移動端末と基地局との間の情報を報告するための移動端末装置であって、
情報テーブルでパケットサイズに対応する境界値に情報をマッピングする制御部と、
境界値に対応するインデックスを基地局に伝送する送信部と、
を含むことを特徴とする装置。
【請求項１０】
移動通信システムで移動端末と基地局との間の情報を前記基地局に報告する方法であって、 
データチャンネルと他のチャンネルのＴＰＲによって獲得された情報をパケットサイズに対応するＴＰＲにマッピングする段階と、
境界値に対応するインデックスを基地局に伝送する段階と、
を有することを特徴とする方法。
【請求項１１】
前記他のチャンネルは、パケットデータ制御チャンネル(ＰＤＣＣＨ)又は/及び第２のパイロットチャンネル(ＳＰＩＣＨ)であることを特徴とする請求項１０記載の方法。
【請求項１２】
移動端末と基地局との間の情報を前記移動端末から受信して逆方向伝送を許容する移動通信システムで、前記情報テーブルを生成して前記移動端末に提供するための方法であって、
前記移動通信システムで提供するパケットのサイズに対応してＴＰＲ値を量子化する段階と、
前記それぞれのＴＰＲ値に対応する他のチャンネルの各ＴＰＲ値を量子化する段階と、
前記各々量子化された値を用いて前記パケットのサイズに対応するＴＰＲ値をマッピングして情報テーブルを構成する段階と、
前記情報テーブルを前記移動端末に伝送する段階と、
を有することを特徴とする方法。
【請求項１３】
前記情報テーブルは、シグナリングチャンネルを通じて伝送されることを特徴とする請求項１２記載の方法。
【請求項１４】
前記他のチャンネルは、パケットデータ制御チャンネル(ＰＤＣＣＨ)及び/又は第２のパイロットチャンネル(ＳＰＩＣＨ)であることを特徴とする請求項１２記載の方法。
【請求項１５】
移動端末と基地局との間の情報を基地局に報告するための移動端末装置であって、
データチャンネルと他のチャンネルのＴＰＲによって獲得された情報をパケットサイズに対応するＴＰＲにマッピングする制御部と、
ＴＰＲに対応するインデックスを基地局に伝送する送信器と、
を含むことを特徴とする装置。
【請求項１６】
前記情報テーブルは、初期通信の際にシグナリングチャンネルを通じて基地局から受信することを特徴とする請求項１５記載の装置。
【請求項１７】
前記他のチャンネルは、パケットデータ制御チャンネル(ＰＤＣＣＨ)及び/又は第２のパイロットチャンネル(ＳＰＩＣＨ)であることを特徴とする請求項１５記載の装置。
【請求項１８】
移動通信システムで移動端末から基地局にパケットを伝送するための方法であって、
パケットサイズによって決定される境界値に対応するインデックスを前記基地局に送信する段階と、
前記移動端末の逆方向チャンネルの送信を制御するための許可メッセージを受信する段階と、
前記許可メッセージが許容されたパケットを前記基地局に伝送する段階と、
を有することを特徴とする方法。
【発明の詳細な説明】
【技術分野】
【０００１】
本発明は移動通信システムでチャンネル情報を知らせるための装置及び方法に関して、特に、移動通信システムにおける逆方向チャンネル情報を通報するための装置及び方法に関するものである。
【背景技術】
【０００２】
通常、移動通信システムは、複数の移動局にスケジューリング方法を通じてサービスを提供する。このようなサービスには、音声及びデータ通信サービスが含まれる。また、スケジューリングとは、複数の移動局のうち優先順位又はその他の要素に基づいて移動局にサービスを提供するための権限を付与し、各移動局に提供されるサービスの伝送率(ｄａｔａ  ｒａｔｅ)を決定することを意味する。このようにサービスが音声サービスとデータサービスに区分されるため、それぞれの場合にスケジューリングは相互に異なる形態で遂行される。音声サービスを提供する場合に、音声サービスのために提供することができるチャンネルリソース及び電力リソースの情報だけを知っていれば、スケジューリングが可能である。しかしながら、データ通信又はサービスの場合にはスケジューリングのために音声サービスより多くの情報を必要とする。その理由は、一般的にデータサービスを提供する場合に、音声サービスの場合より多いチャンネル及び電力リソースを消耗するためである。したがって、データサービスを提供するときにはチャンネルの状態、移動局の位置情報及び他の移動局との比較優先順位などを考慮すべきである。
【０００３】
このデータサービスは、伝送される方向により順方向データ伝送と逆方向データ伝送に区分できる。“順方向データ伝送”は基地局から移動局にデータを伝送することを意味し、“逆方向データ伝送”は移動局から基地局にデータを伝送することを意味する。このように順方向と逆方向に区分されるそれぞれのデータ伝送は、相互に異なるスケジューリング情報を必要とする。順方向データと逆方向データの伝送時に必要な情報について説明する。
【０００４】
無線リンクにおけるデータ伝送は、物理階層パケット(Ｐｈｙｓｉｃａｌ  Ｌａｙｅｒ  Ｐａｃｋｅｔ：以下“パケット”とする)単位でパケットデータチャンネルを通じて遂行される。また、スケジューリングを採択しているシステムで、移動局がパケットを逆方向に伝送するためには基地局からの許可がなければデータ伝送を遂行することができない。例外的に、特定のシステムで移動局が逆方向にデータ伝送を始める場合に、最低の伝送率で逆方向伝送を遂行する場合もある。しかしながら、初期伝送が遂行された以後の伝送率の増加又は減少などの場合に、移動局は基地局から許可された場合、すなわち、基地局の制御のみによって逆方向にデータを伝送することができる。したがって、このように最低の伝送率で初期伝送が可能な場合は考慮しないことにする。以上に説明したように、移動局が逆方向にデータを伝送しようとする場合に、基地局は特定伝送時間単位で該当する移動局に逆方向にパケットデータ伝送を許可、又は、拒絶するスケジューリングを遂行する。そして、スケジューリング情報は基地局によって移動局に伝送される。その結果、基地局から逆方向伝送が許可された移動局だけが逆方向にパケットを伝送する。移動局が逆方向にパケット伝送の許可を受けた場合に、パケットデータを伝送する物理チャンネルは各システムごとに相互に異なる名前を有し、一般的に逆方向パケットデータチャンネル(Ｒｅｖｅｒｓｅ  Ｐａｃｋｅｔ  Ｄａｔａ  Ｃｈａｎｎｅｌ：以下、“Ｒ-ＰＤＣＨ”とする)と呼ばれる。
【０００５】
また、上記したように、基地局は、移動局の逆方向データ伝送を許可又は拒絶するために、チャンネル状況及び移動局の状況などを総合的に考慮してスケジューリングを遂行する。したがって、基地局のスケジューラは、各移動局のいろいろな状態情報を知っていなければならない。例えば、状態情報は、各移動局のバッファに存在する伝送すべきデータの量、或いは各移動局の逆方向チャンネル情報などである。したがって、スケジューリング方法を採択する通常の移動通信システムで移動局は、スケジューリングに必要な情報を基地局にフィードバック(ｆｅｅｄｂａｃｋ)して報告すべきである。移動局から基地局にスケジューリングに必要な情報をフィードバックする逆方向チャンネルは、各システムごとに相互に異なる名前を有し、一般的に“逆方向要求チャンネル(Ｒｅｖｅｒｓｅ  Ｒｅｑｕｅｓｔ  Ｃｈａｎｎｅｌ：以下、”Ｒ-ＲＥＱＣＨ“とする)と呼ばれる。
【０００６】
Ｒ-ＲＥＱＣＨを通じて伝送される情報は、移動通信システムに対する北米式標準であるＣＤＭＡ２０００ＲｅｌｅａｓｅＤシステムの場合を例として示すと、下記の＜表１＞のようである。
【０００７】
【表１】
2007514364.tif 000003
【０００８】
＜表１＞に示すように、Ｒ-ＲＥＱＣＨを通じて伝送される情報とそれによる各ビット数は、上記したシステムでなく他のシステムでは変化する。しかしながら、重要なことは、スケジューリングを遂行するシステムで移動局は、上記に類似したフィードバック情報を基地局に伝送するということである。下記に、＜表１＞に示す各情報フィールドについて説明する。 
【０００９】
(１)‘ＲＥＳＥＲＶＥＤ’は、現在定義されていないビットで、以後、他の多様な用途で使用可能である。
【００１０】
(２)‘ＭＡＸＩＭＵＭ_ＴＰＲ’は、移動局の逆方向チャンネル状態に関する情報で、移動局がＲ-ＰＤＣＨに対して使用可能な最大ＴＰＲ値を示す。ここで、“ＴＰＲ(Ｔｒａｆｆｉｃ  ｔｏ  Ｐｉｌｏｔ  Ｒａｔｉｏ)”は、逆方向トラフィックチャンネル(Ｒ-ＰＤＣＨ）の送信電力対パイロットチャンネルの送信電力の比を示す。一般的に移動通信システムで、移動局の電力は基地局によって制御される。次に、移動通信システムで一般的に遂行される逆方向電力制御過程について説明する。
【００１１】
移動局の逆方向チャンネルが悪い状態であると、基地局は、移動局にパイロットチャンネルの電力を増加するように命令する。一方、逆方向チャンネルが良い状態であると、基地局は、移動局にパイロットチャンネルの電力を低減するように命令する。これは、基地局が逆方向無線リンクの受信状態を一定に維持するためのもので、時間的に変化する逆方向無線リンクで基地局が各移動局に対する逆方向受信信号対雑音比(ＳＮＲ)を一定に維持することを意味する。したがって、特定時点で電力制御されている移動局のパイロット伝送電力のサイズは、該当移動局のチャンネル状態を示す。例えば、一つの基地局と通信する移動局Ａと移動局Ｂがあると仮定する。そして、任意の時点で移動局Ａのパイロットチャンネル送信電力が移動局Ｂのパイロットチャンネル送信電力より大きいと、移動局Ｂの無線チャンネルが移動局Ａの無線チャンネルより良いと言える。
【００１２】
一方、通常、移動局は最大送信電力に制限がある。例えば、移動局の最大送信電力が２００ｍＷに制限されるということは、所定時点で移動局が伝送可能な最大送信電力は２００ｍＷを超えてはいけないことを意味する。上記のように、最大送信電力の制限を有する状態で移動局のパイロットチャンネルが電力制御されていると、移動局が所定の瞬間にＲ-ＰＤＣＨに割り当て可能な電力は、パイロットチャンネルの電力により変わる。すなわち、移動局のチャンネルが良い状態であるか、或いは悪い状態であるかによって変化する。説明の便宜のために、移動局が伝送している物理チャンネルの種類がパイロットチャンネルとＲ-ＰＤＣＨの２種類しかないと仮定する。しかしながら、実際にはその他に多様なチャンネルが存在する。
【００１３】
この仮定の下で、移動局は基地局によって電力が制御され、所定の時点でパイロットチャンネルに割り当てられる電力が５０ｍＷである場合に、基地局がＲ-ＰＤＣＨに割り当て可能な電力が、２００ｍＷ−５０ｍＷとなるため、結果的に１５０ｍＷが可用である。この場合に、移動局がＲ-ＰＤＣＨに割り当て可能な最大電力とパイロットチャンネルの電力の比は１５０ｍＷ/５０ｍＷ、すなわち‘３’となる。“ＭＡＸＩＭＵＭ_ＴＰＲ”とは、移動局がＲ-ＰＤＣＨに割り当て可能な最大電力とパイロットチャンネルの電力の比を意味する。このＭＡＸＩＭＵＭ_ＴＰＲは、通常にｄＢ単位で表示する。移動局は、上述したようにＭＡＸＩＭＵＭ_ＴＰＲ、すなわちＲ-ＰＤＣＨに割り当て可能な最大電力とパイロットチャンネルの電力の比を基地局に伝送することによって、自分の逆方向チャンネル状態をフィードバックする。基地局は、ＭＡＸＩＭＵＭ_ＴＰＲを受信して移動局の逆方向チャンネル状態がわかるだけでなく、スケジューリング過程で、基地局が移動局に割り当て可能な最大データ伝送率を獲得することができる。 
【００１４】
(３)‘ＳＲ_ＩＤ’は、移動局がＲ-ＲＥＱＣＨを通じて伝送するバッファ量情報に該当するサービス識別子である。例えば、一つの移動局がＡとＢの２つのサービスに対するパケットを交互に伝送していると仮定する。特定の時点で、移動局が有するサービスＡに対するバッファ量は１００バイトで、サービスＢに対するバッファ量は３００バイトである場合に、移動局は、サービスＡに該当するバッファ量をフィードバックするときはサービス識別子であるＳＲ_ＩＤをサービスＡに該当する値に設定し、バッファ量に該当するフィールド値に“１００バイト”を設定して伝送する。このように、ＳＲ_ＩＤにサービスを区分するための情報は、予め基地局と約束することで、相互間に定義されていることを使用することができる。 
【００１５】
(４)‘ＥＶＥＮＴ’は、ＳＲ_ＩＤに該当するバッファに貯蔵されたデータ量を示す。 
【００１６】
上述したように、移動通信システムで移動局は、逆方向チャンネル情報及びバッファ量情報をＲ-ＲＥＱＣＨを通じて基地局に伝送し、基地局はこれを受信して逆方向伝送をスケジューリングするのに使用する。
【００１７】
＜表２＞は、移動通信システムでＭＡＸＩＭＵＭ_ＴＰＲフィールド値とそれに対応する最大ＴＰＲ値の一例を示すものである。 
【００１８】
【表２】
2007514364.tif 000004
【００１９】
上記の＜表２＞からわかるように、ＣＤＭＡ２０００Ｒｅｌｅａｓｅ  Ｄシステムで、ＭＡＸＩＭＵＭ_ＴＰＲは４ビットを用いて示す。＜表２＞を参照すると、移動局は、Ｒ-ＰＤＣＨに使用可能なＴＰＲ値が４ｄＢ以下であると‘００００’を伝送し、このＴＰＲ値が４〜５ｄＢの範囲内にあると‘０００１’を伝送し、このＴＰＲ値が５〜６ｄＢの範囲内にあると‘００１０’を伝送する。このように、ＭＡＸＩＭＵＭ_ＴＰＲ値は１ｄＢの単位で‘００００’〜‘１０１０’の範囲で表示する。また、ＭＡＸＩＭＵＭ_ＴＰＲ値‘１０１１’は１４ｄＢ〜１６ｄＢの範囲を示し、ＭＡＸＩＭＵＭ_ＴＰＲ値‘１１００’は１６〜１８ｄＢの範囲を示し、ＭＡＸＩＭＵＭ_ＴＰＲ値‘１１０１’は１８〜２０ｄＢの範囲を示す。なお、ＭＡＸＩＭＵＭ_ＴＰＲ値‘１１１０’は２０〜２４ｄＢの範囲を示し、ＭＡＸＩＭＵＭ_ＴＰＲ値‘１１１１’は２４ｄＢ以上のＴＰＲ値を示す。すなわち、上記したような４ビットで移動局のＲ-ＰＤＣＨに使用可能なＴＰＲ値を示すことにおいて、１４ｄＢより小さいＴＰＲ値は１ｄＢ間隔で示し、１４ｄＢより大きいＴＰＲ値は２ｄＢ間隔で示す。また、２０ｄＢより大きいＴＰＲ値は４ｄＢ間隔で示す。 
【００２０】
次に、ＣＤＭＡ２０００Ｒｅｌｅａｓｅ  ＤシステムでＲ-ＰＤＣＨに使用する符号化パケット(Ｅｎｃｏｄｅｒ  Ｐａｃｋｅｔ：ＥＰ）のサイズによるＴＰＲ値を＜表３＞を参照して説明する。
【００２１】
【表３】
2007514364.tif 000005
【００２２】
＜表３＞は、上記のＣＤＭＡ２０００Ｒｅｌｅａｓｅ  ＤシステムでＲ-ＰＤＣＨに使用するＴＰＲ値の一例を示す。“Ｒ-ＰＤＣＨに使用するＴＰＲ値”とは、各パケットデータ伝送率に使用するように規定されたＴＰＲ値を意味する。例えば、上記の＜表３＞で符号化パケットのサイズが１９２に該当するＴＰＲ値は０．７５ｄＢである。＜表３＞を使用する場合に、移動局は、１０ｍｓの固定長さを有するフレームを用いる逆方向パケットを伝送する。その結果、１９２ビット，４０８ビット，…，１５３８４ビットを有する符号化パケットは１０ｍｓの時間区間で伝送される。したがって、それぞれのデータ伝送率は、１９．２Ｋｂｐｓ,４０．８Ｋｂｐｓ，…，１．５３８４Ｍｂｐｓとなる。ＥＰサイズ１９２に該当するＴＰＲ値が０．７５ｄＢであることは、移動局が１９．２Ｋｂｐｓのパケットデータを伝送するときに使用すべきＴＰＲ値、すなわちパイロット電力対Ｒ-ＰＤＣＨ電力の比が０．７５であることを意味する。 
【００２３】
＜表３＞から、ＥＰサイズの分布は、１９２〜３０９６ビットまでは約２倍ずつ増加し、３０９６ビット以上のＥＰサイズでは１.５倍ずつ増加することがわかる。このようなＥＰサイズの分布は、大きいＥＰサイズ範囲で２倍ずつ増加すると、解像度(ｒｅｓｏｌｕｔｉｏｎ)が落ちるためである。その理由で、各ＥＰサイズに該当するＴＰＲ値は、１９２〜３０９６ビットまではほぼ３ｄＢずつ増加し、３０９６ビット以上では２ｄＢより小さく増加する。
【００２４】
＜表３＞と＜表２＞を比較すると、反対の傾向を示すことがわかる。すなわち、Ｒ-ＲＥＱＣＨを通じてフィードバックする移動局のＲ−ＰＤＣＨに使用可能なＴＰＲ値は小さい値で密に配列されており、大きい値で疎に配列される。＜表３＞で、各ＥＰサイズに該当するＴＰＲ値は小さい値で３ｄＢずつの差で配列され、大きい値では密に配列される。
【００２５】
＜表２＞と＜表３＞を結合すると、すなわちＭＡＸＩＭＵＭ_ＴＰＲ値、Ｒ-ＰＤＣＨの最大ＴＰＲ値、及びＥＰサイズ間の関係を示すと、下記の＜表４＞のようである。 
【００２６】
【表４】
2007514364.tif 000006
【００２７】
＜表４＞で、３番目の列は、Ｒ-ＲＥＱＣＨを通じてフィードバックするＭＡＸＩＭＵＭ_ＴＰＲ値で表示されるＴＰＲ範囲に該当するＥＰサイズを示す。＜表４＞を参照して、ＴＰＲとそれに該当するＥＰサイズについて説明する。Ｒ-ＲＥＱＣＨのＭＡＸＩＭＵＭ_ＴＰＲ値が‘１１０１’である場合に、移動局がＲ-ＰＤＣＨに使用することができるＴＰＲ値が１８ｄＢ以上２０ｄＢ未満であることを示す。その範囲に該当するＥＰサイズは、＜表３＞で１２３１２と１５３８４を含む。したがって、上記したような方法で移動局がＭＡＸＩＭＵＭ_ＴＰＲ値を基地局に報告すると、基地局は移動局からフィードバック情報を受信してスケジューリングを遂行するようになる。しかしながら、以上に説明したように、フィードバック情報は２以上のＥＰサイズが存在する場合が発生するため、基地局は移動局が支援可能なＥＰサイズが１２３１２又は１５３８４であるかが正確にわからない。これは、基地局でスケジューリングを正確に遂行することができないという問題を有する。したがって、移動通信システムの全体伝送効率(ｔｈｒｏｕｇｈｐｕｔ）を低下するという問題をもたらすようになる。
【発明の開示】
【発明が解決しようとする課題】
【００２８】
したがって、上記したような問題点を解決するために、本発明の目的は、移動通信システムでスケジューリングを正確に遂行することができる逆方向フィードバック情報の伝送装置及び方法を提供することにある。 
【００２９】
本発明の他の目的は、移動通信システムで全体伝送効率を増加させるための逆方向フィードバック情報の伝送装置及び方法を提供することにある。 
【課題を解決するための手段】
【００３０】
上記のような目的を達成するために、本発明は、移動端末と基地局との間の情報を前記移動端末から受信して逆方向伝送を許容する移動通信システムで前記情報を生成して伝送するための移動端末装置であって、前記基地局から伝送された情報テーブルを受信する受信部と、前記受信された情報テーブルを貯蔵する第１のメモリと、逆方向に伝送するデータを貯蔵する第２のメモリと、情報をエンコーダパケットのサイズにより決定されたＴＰＲ値の範囲を有する前記情報テーブルに貯蔵された所定値にマッピングし、その結果の伝送を制御する制御部と、前記マッピングされた情報及び前記第２のメモリに貯蔵されたデータを前記基地局に伝送する送信部とを含むことを特徴とする。
【００３１】
また、本発明は、移動通信システムで、移動端末と基地局との間のチャンネル状態情報を示すフィードバック情報を前記移動端末から前記基地局に報告する方法であって、前記移動通信システムでパケットデータ伝送率に関連した符号化パケットの増加又は減少するサイズに対応するＴＰＲ値の境界値によって区分されたチャンネル状態情報テーブルに貯蔵された値のうちの一つに前記チャンネル状態情報をマッピングする段階と、前記マッピングされた情報を前記基地局に伝送する段階とを有する。 
【発明の効果】
【００３２】
本発明は、ＭＡＸＩＭＵＭ_ＴＰＲのテーブルを構成することによって、スケジューリングにより適合した情報を逆方向に伝送することができる。また、これを通じてシステムの全体効率を増加させることができる効果がある。 
【発明を実施するための最良の形態】
【００３３】
以下、本発明の望ましい実施形態を添付の図面を参照して詳細に説明する。
【００３４】
下記に、本発明に関連した公知の機能又は構成に関する具体的な説明が本発明の要旨を不明にすると判断された場合に、その詳細な説明を省略する。 
【００３５】
本発明で提案する移動局の逆方向チャンネル情報、すなわちＭＡＸＩＭＵＭ_ＴＰＲ値をフィードバックする方法は、下記のように３つの原則に分けられる。
【００３６】
第１に、本発明ではＭＡＸＩＭＵＭ_ＴＰＲの量子化においてＥＰサイズの傾向に従うようにする。例えば、上記した＜表３＞のように、ＥＰサイズ及び該当ＴＰＲ値を有する場合に、＜表３＞のような傾向を有するように量子化する。＜表３＞を参照すると、ＥＰサイズ及び該当ＴＰＲ値は、小さいＥＰサイズの範囲では３ｄＢ内外の間隔で、大きいＥＰサイズの範囲では２ｄＢ内外の間隔であるため、それによって、ＭＡＸＩＭＵＭ_ＴＰＲの量子化においても小さいＴＰＲ範囲では疎に量子化され、大きいＴＰＲ範囲では密に量子化される。したがって、このような傾向をＥＰサイズ及び該当ＴＰＲ値の傾向と一致するように定義すると、下記の＜表３＞のようである。
【００３７】
第２に、本発明では移動局からフィードバックするＭＡＸＩＭＵＭ_ＴＰＲフィールド値が示すＴＰＲ値が、上記の＜表３＞が定義する各ＥＰサイズ別ＴＰＲ値間の範囲を有するようにする。例えば、＜表３＞の従来技術におけるＥＰサイズ及び該当ＴＰＲ値を参照すると、１２３１２のＥＰサイズに該当するＴＰＲ値は１８ｄＢで、次のＥＰサイズである１５３８４に該当するＴＰＲ値は１９．１２５ｄＢであるため、一つのＭＡＸＩＭＵＭ_ＴＰＲフィールド 値、例えば‘１１１０’が示すＴＰＲ値の範囲は１８ｄＢ以上１９．１２５未満の範囲となる。このような方法で量子化される移動局が‘１１１０’のＭＡＸＩＭＵＭ_ＴＰＲフィールド値をフィードバックする場合に、基地局は移動局によって支援可能な最大ＥＰサイズを１２３１２に決定することができる。
【００３８】
第３に、本発明では移動局がフィードバックするＭＡＸＩＭＵＭ_ＴＰＲフィールド値が示すＴＰＲ値は、Ｒ-ＰＤＣＨで使用可能な最大ＴＰＲ値を意味することでなく、Ｒ-ＰＤＣＨとＲ-ＳＰＩＣＨのＴＰＲ値を含んで移動局が最大支援できるＴＰＲ値を示す。すなわち、本発明で提案するＭＡＸＩＭＵＭ_ＴＰＲフィールド値が示すＴＰＲ値は、移動局の(Ｒ-ＰＤＣＨ＋Ｒ-ＳＰＩＣＨ＋Ｒ-ＰＤＣＣＨ)で最大支援可能なＴＰＲとなるように設定することを提案する。この方法は、特に、Ｒ-ＳＰＩＣＨ及びＲ-ＰＤＣＣＨのＴＰＲ値がＥＰサイズ別に可変的な場合に効率的である。Ｒ-ＳＰＩＣＨ(Ｒｅｖｅｒｓｅ  Ｓｅｃｏｎｄａｒｙ  Ｐｉｌｏｔ  Ｃｈａｎｎｅｌ)は、高いデータ伝送率でパケットを伝送するときに移動局が用いるチャンネルである。Ｒ-ＰＤＣＣＨ(Ｒｅｖｅｒｓｅ  Ｐａｃｋｅｔ  Ｄａｔａ  Ｃｏｎｔｒｏｌ  Ｃｈａｎｎｅｌ)は、これと共に伝送されるＲ-ＰＤＣＨの復調に必要な制御情報を伝送するチャンネルである。
【００３９】
本発明で提案する３つの原則は、すべて同時に適用され、或いは選択的に適用されることが可能である。
【００４０】
下記の＜表５＞は、本発明の望ましい実施形態で、本発明で提案する第１の原則を適用した一例を示す。
【００４１】
【表５】
2007514364.tif 000007
【００４２】
上記の＜表５＞を参照すると、ＴＰＲは、小さいＴＰＲ範囲では粗く量子化され(２ｄＢ間隔)、大きいＴＰＲ範囲では密に量子化され(１ｄＢ間隔)、それによって、その傾向が上記した＜表３＞に定義されたＥＰサイズ及び該当ＴＰＲ値の傾向と一致することがわかる。
【００４３】
次に、本発明で提案する第２の原則を適用した一実施形態を説明する。＜表６＞は、本発明で提案した第２の原則によりＭＡＸＩＭＵＭ_ＴＰＲを伝送するための方法を示す。
【００４４】
【表６】
2007514364.tif 000008
【００４５】
＜表６＞において、“ＴＰＲ[ep_size[x]]”の“ep_size[x]”は、ＥＰサイズに該当するＴＰＲ値を示す。すなわち、これは、順次的に存在するＥＰサイズのうちのｘ番目のＥＰサイズを意味し、該当ＥＰサイズのＴＰＲ値を示す。この値は、ＥＰサイズ別ＴＰＲ値を定義した従来技術による＜表３＞と一致する。＜表６＞で、ep_size[1]，ep_size[2]，ep_size[3]，ep_size[4]，…，ep_size[10]は、各々１９２，４０８，７９２，１５６０，…，１５３８４を示し、ＥＰサイズを示す配列となることができる。例えば、＜表６＞でＴＰＲ[ep_size[1]]は＜表３＞の第１のＥＰサイズに該当するため、ＥＰサイズ１９２に該当するＴＰＲ値となる。すなわち、ＴＰＲ値は０．７５ｄＢである。＜表６＞で‘１０１１’〜‘１１１１’の値を使用しない理由は、ＣＤＭＡ２０００Ｒｅｌｅａｓｅ  Ｄのシステムを例として示すためである。すなわち、このシステムでＥＰサイズが１０つに分けられることである。例えば、このシステムでＥＰサイズが１１つに分けられる場合には、‘１０１０’が“ＴＰＲ[ep_size[10]] ≦ＴＰＲ <ＴＰＲ[ep_size[11]]”を示し、‘１０１１’が“ＴＰＲ[ep_size[11]] ≦ＴＰＲ”を示す。
【００４６】
次に、本発明で提案する第３の原則を適用する一実施形態を説明する。下記の＜表７＞は、本発明で提案する第３の原則によりＭＡＸＩＭＵＭ_ＴＰＲをマッピングし、そのマッピング結果を基地局に報告するための方法を示す。
【００４７】
【表７】
2007514364.tif 000009
【００４８】
＜表７＞で、ＴＰＲは、＜表６＞で使用しなかった‘１０１１’〜‘１１１１’を用いるために小さいＴＰＲ範囲でより詳細に量子化した値である。 
【００４９】
以下、本発明の実施形態により、移動局からＲ-ＲＥＱＣＨを通じて基地局に報告されるＭＡＸＩＭＵＭ_ＴＰＲ値を送信するための送信器構造について説明する。
【００５０】
図１は、本発明の実施形態により、移動局でＲ-ＲＥＱＣＨを通じてＭＡＸＩＭＵＭ_ＴＰＲ値を送信するための送信器を示すブロック構成図である。図１に示す送信器は、一般的な畳み込み符号を用いる送信器構造と同一である。この送信器は、制御部１０１、フレーム品質表示器(ｆｒａｍｅ  ｑｕａｌｉｔｙ  ｉｎｄｉｃａｔｏｒ)１０２、エンコーダテールビット付加器(ｅｎｃｏｄｅｒ  ｔａｉｌ  ｂｉｔ  ａｄｄｅｒ)１０３、畳み込みエンコーダ(ｃｏｎｖｏｌｕｔｉｏｎａｌ  ｅｎｃｏｄｅｒ)１０４、ブロックインタリーバ１０５、及び変調器(ｍｏｄｕｌａｔｏｒ)１０６などを含む構造で構成される。
【００５１】
送信器の動作において、例えば、制御部１０１から出力される１２ビットの情報がフレーム品質表示器１０２に出力される。１２ビットの情報は、＜表１＞で定義したＲ-ＲＥＱＣＨを通じて伝送される各フィールドと同一の形態の情報であると仮定するためのものである。したがって、この情報を構成するビット数はチャンネル形態により変化される。この情報は、本発明の実施形態により＜表５＞〜＜表７＞で定義されたＭＡＸＩＭＵＭ_ＴＰＲ値を含む。すなわち、１２ビット情報は、本発明で提案した３つの原則のうち少なくとも一つの原則を満足するＭＡＸＩＭＵＭ_ＴＰＲ値を含む。
【００５２】
フレーム品質表示器１０２は、誤り検出符号、例えばＣＲＣ(Ｃｙｃｌｉｃ  Ｒｅｄｕｎｄａｎｃｙ  Ｃｈｅｃｋ)符号を１２ビット情報に付加してエンコーダテールビット付加器１０３に出力する。エンコーダテールビット付加器１０３は、入力された情報に特定状態の収束のための所定ビットを追加して畳み込みエンコーダ１０４に出力する。畳み込みエンコーダ１０４は、エンコーダテールビットまで付加された情報を畳み込み符号化してブロックインタリーバ１０５に出力する。ブロックインタリーバ１０５は、この畳み込み符号情報をインタリービングして変調器１０６に出力する。変調器１０６は、このインタリービングされた情報を変調して逆方向に伝送する。
【００５３】
図２は、本発明の実施形態によりＭＡＸＩＭＵＭ_ＴＰＲ値を送信するための移動局を示すブロック構成図である。以下に、図２を参照して、本発明の実施形態によりＭＡＸＩＭＵＭ_ＴＰＲ値を送信するための構成及び動作について説明する。
【００５４】
図２を参照すると、制御部２１１は、図１の制御部１０１に類似した構成を有する。図１の他の構成要素１０２〜１０６は、送信部２１５に含まれる。送信部２１５は、図１に示していない無線処理(Ｒａｄｉｏ  Ｆｒｅｑｕｅｎｃｙ：ＲＦ)装置をさらに含む。 
【００５５】
移動局は、初期通信を遂行するときに、シグナリングチャンネルを通じて、或いは、所定の制御チャンネルを通じて本発明による＜表５＞〜＜表７＞のＴＰＲテーブルを受信する。このようなテーブルは、予め移動局で貯蔵する場合もあるが、本実施形態では基地局から移動局に伝送すると仮定して説明する。本発明によるテーブルが受信されると、受信部２１０は、この受信されたテーブル情報をダウンコンバートし、復調及び復号して制御部２１１に出力する。すると、制御部２１１は、ＴＰＲメモリ２１２に受信されたテーブル情報を貯蔵する。このように貯蔵されるテーブルは、前述したように＜表５＞又は＜表６＞又は＜表７＞のような方法で生成された値を貯蔵することができる。
【００５６】
本発明で提案した３つの原則のうち、一つ又はそれ以上の原則を用いて、他の実施形態によりテーブルを構成することができる。このようにテーブルが生成されるならば、テーブルは変化する。
【００５７】
制御部２１１は、逆方向にデータを送信するときに、送信メモリ２１４に貯蔵されているデータの量を検出し、逆方向に送信可能なトラフィック電力比を計算する。このような比は、従来技術で説明したようにＴＰＲ値となる。それによって、このＴＰＲ値がＴＰＲメモリ２１２に貯蔵された情報のうちいずれか一つに該当する場合に、制御部２１１は、該当ＴＰＲ値を用いる＜表１＞に示したＲ-ＲＥＱＣＨを通じて伝送されるメッセージを生成する。送信部２１５は、この生成されたメッセージを逆方向に伝送する。移動局は、基地局にスケジューリングに必要な情報をより正確に伝送することができる。 
【図面の簡単な説明】
【００５８】
【図１】本発明の実施形態により、移動局でＲ-ＲＥＱＣＨを通じてＭＡＸＩＭＵＭ_ＴＰＲ値を伝送するための送信器を示すブロック構成図である。
【図２】本発明の実施形態により、ＭＡＸＩＭＵＭ_ＴＰＲ値を伝送するための移動局を示すブロック構成図である。
【符号の説明】
【００５９】
１０１  制御部
１０２  フレーム品質表示器
１０３  エンコーダテールビット付加器
１０４  畳み込みエンコーダ
１０５  ブロックインタリーバ
１０６  変調器
２１０  受信部
２１１  制御部
２１２  ＴＰＲメモリ
２１４  送信メモリ
２１５  送信部
【図１】
2007514364.tif 000012
【図２】
2007514364.tif 000013
【国際調査報告】
2007514364.tif 000014
2007514364.tif 000015